(57)【要約】【課題】ドレインカバーをビス止めせずにドレイン本体に対し簡単且つ確実に着脱し得るようにした縦引きドレインを提供する。【解決手段】縦引きドレインにおいて、ドレインカバー５の頂部中央に上下方向に延びるロッド材１３を摺動自在に嵌挿し、該ロッド材１３の下端部にドレイン本体１の半径方向に張り出すストッパバー１４を一体的に設け且つロッド材１３の上端部に該ロッド材１３をドレインカバー５の外部から回動操作し得るようノブ部１５を設け、該ノブ部１５とドレインカバー５の頂部との間にスプリング１６を介装し、ドレイン本体１の内周面にはストッパバー１４を掛止してドレインカバー５のドレイン本体１からの浮き上がりを阻止し得るよう複数の掛止鍔部１７を円弧状に形成し、該各掛止鍔部１７の相互間にストッパバー１４を上下方向に通過せしめ得るよう切欠部１８を確保する。【選択図】        図１
2004197510.tif 000002
【特許請求の範囲】
【請求項１】
フロアの排水口に設置されるドレイン本体の上側に、複数の取水口を開口して上方へ膨らむドレインカバーを装着した縦引きドレインであって、ドレインカバーの頂部中央に上下方向に延びるロッド材を摺動自在に嵌挿し、該ロッド材の下端部にドレイン本体の半径方向に張り出すストッパバーを一体的に設け且つ前記ロッド材の上端部に該ロッド材をドレインカバーの外部から回動操作し得るようノブ部を設け、該ノブ部とドレインカバーの頂部との間にスプリングを介装し、ドレイン本体の内周面には前記ストッパバーを掛止してドレインカバーのドレイン本体からの浮き上がりを阻止し得るよう複数の掛止鍔部を円弧状に形成し、該各掛止鍔部の相互間に前記ストッパバーを上下方向に通過せしめ得るよう切欠部を確保したことを特徴とする縦引きドレイン。
【請求項２】
ドレイン本体の上端外周とドレインカバーの下端外周とにフランジ部を夫々形成し、両フランジ部間にフロア上面を覆う防水層を介装し得るように構成したことを特徴とする請求項１に記載の縦引きドレイン。
【発明の詳細な説明】
【０００１】
【発明の属する技術分野】
本発明は、縦引きドレインに関するものである。
【０００２】
【従来の技術】
ビルやマンション等の建築物の屋上や各階のベランダに設けられている排水口部分には、雨水を排水するためのドレインが使用されており、この種のドレインとしては、雨水を上方から導入して下方へ排出するようにした縦引きドレインが一般的である。
【０００３】
図４は従来における縦引きドレインの一例を示すもので、図中１はフロア２に設けられた排水口３に挿入設置されるドレイン本体を示し、該ドレイン本体１は、フロア２に設けられた排水口３内下方に垂直に配設された排水管４の上端に嵌挿されており、前記ドレイン本体１の上側には、雨水に随伴されるゴミや小枝等の固形物の侵入防止、並びに排水口３が剥き出しになることによる危険性の回避、美観の保持等といった観点からドレインカバー５が装着されている。
【０００４】
ここに図示する例では、フロア２を形成するためのモルタルやセメント、樹脂等といった流動性硬化材６の打設時に当該フロア２の排水口３の位置にドレイン本体１を一緒に埋め込み、フロア２の硬化後にドレイン本体１の上側にドレインカバー５を装着して排水口３を被覆するようにしてあり、前記ドレイン本体１の上端外周には、フロア２の上面に沿うフランジ部７が形成されている。
【０００５】
また、ドレインカバー５の内側中央部には、下方向きに所要長さ延びるホルダ部８が突設されており、該ホルダ部８の下端に対し、その両端部を下方向きに撓ませて弾性力によりドレイン本体１の内周面に圧接せしめ得るよう一対の細長いバネ板９，１０の中間部が装着されている。
【０００６】
尚、図中１１は前記ドレインカバー５に開口された複数の取水口、１２は各バネ板９，１０の中間部をホルダ部８の下端に装着しているビスを夫々示す。
【０００７】
また、この種の縦引きドレインに関連する先行技術文献としては下記の特許文献１等がある。
【０００８】
【特許文献１】
特開平９−１６５８８５号公報
【０００９】
【発明が解決しようとする課題】
しかしながら、上記した如き従来の縦引きドレインにおいては、バネ板９，１０をドレイン本体１の内周面に圧接させることでドレインカバー５を固定するようにしていたため、ビルの屋上等でドレインカバー５の上方で強い横風が吹いたような場合に、排水口３内の空気が霧吹きの原理で吸い出されてドレインカバー５を吹き上げる現象が起こり、これによりドレインカバー５がドレイン本体１から浮き上がって外れてしまう虞れがあった。
【００１０】
他方、このようなドレインカバー５の浮き上がりを防止する対策としては、例えば、図示とは異なる形式の縦引きドレイン等にてドレインカバー５をドレイン本体１にビス止めすることが従来より行われているが、通常、この種の縦引きドレインでは、ドレインカバー５の取水口１１を潜り抜けて侵入した細かな固形物や沈降汚泥等が徐々に内部に堆積し、定期的に内部の清掃を行わなければならないため、このような内部の清掃を行う際に、複数本のビスを緩めてドレインカバー５を取り外した上で清掃後に再びビスを締め込んでドレインカバー５を装着し直さなければならないという面倒があり、また、ドレインカバー５を取り外す作業中にビスを排水管４内へ落として紛失してしまうといった不具合も多発していた。
【００１１】
本発明は上述の実情に鑑みてなしたもので、ドレインカバーをビス止めせずにドレイン本体に対し簡単且つ確実に着脱し得るようにした縦引きドレインを提供することを目的としている。
【００１２】
【課題を解決するための手段】
本発明は、フロアの排水口に設置されるドレイン本体の上側に、複数の取水口を開口して上方へ膨らむドレインカバーを装着した縦引きドレインであって、ドレインカバーの頂部中央に上下方向に延びるロッド材を摺動自在に嵌挿し、該ロッド材の下端部にドレイン本体の半径方向に張り出すストッパバーを一体的に設け且つ前記ロッド材の上端部に該ロッド材をドレインカバーの外部から回動操作し得るようノブ部を設け、該ノブ部とドレインカバーの頂部との間にスプリングを介装し、ドレイン本体の内周面には前記ストッパバーを掛止してドレインカバーのドレイン本体からの浮き上がりを阻止し得るよう複数の掛止鍔部を円弧状に形成し、該各掛止鍔部の相互間に前記ストッパバーを上下方向に通過せしめ得るよう切欠部を確保したことを特徴とするものである。
【００１３】
而して、このようにすれば、ドレイン本体の上側にドレインカバーを装着するに際し、該ドレインカバーをドレイン本体の上側に被せてドレイン本体内にロッド材を挿入し、該ロッド材をノブ部を摘んでスプリングの弾撥力に抗し押し下げ、これによりロッド材の下端部のストッパバーを切欠部を通過させて掛止鍔部の下まで挿し入れてからロッド材を円周方向に回動し、前記切欠部と位相の合わない位置でノブ部から手を放すと、該ノブ部がスプリングの弾撥力により上方へ押し上げられてストッパバーが各掛止鍔部の下面に圧接状態で掛止され、ドレインカバーがガタつきのない安定した装着状態でドレイン本体から外れないように保持される。
【００１４】
他方、ドレイン本体からドレインカバーを取り外す際には、ノブ部を介しロッド材を円周方向に回動してストッパバーを掛止鍔部の切欠部と位置合わせすれば、ストッパバーと掛止鍔部との掛止状態が解除されてドレインカバーがドレイン本体から簡単に取り外される。
【００１５】
更に、本発明においては、ドレイン本体の上端外周とドレインカバーの下端外周とにフランジ部を夫々形成し、両フランジ部間にフロア上面を覆う防水層を介装し得るように構成しても良く、このようにすれば、ドレインカバー側のフランジ部とドレイン本体側のフランジ部との間に防水シート等の防水層を介装するに際し、この防水層の厚さの変化がスプリングの弾性変形により適宜に吸収されるので、防水層の厚さの異なる設置箇所に対し何ら支障なく同じ縦引きドレインで対処することが可能となる。
【００１６】
【発明の実施の形態】
以下本発明の実施の形態を図面を参照しつつ説明する。
【００１７】
図１〜図３は本発明を実施する形態の一例を示すもので、図４と同一の符号を付した部分は同一物を表わしている。
【００１８】
図示する如く、本形態例においては、フロア２の排水口３に設置されるドレイン本体１の上側に、複数の取水口１１を開口して上方へに膨らむドレインカバー５を装着した縦引きドレインに関し、ドレインカバー５の頂部中央に上下方向に延びるロッド材１３を摺動自在に嵌挿し、該ロッド材１３の下端部にドレイン本体１の半径方向に張り出すストッパバー１４を一体的に設け且つ前記ロッド材１３の上端部に該ロッド材１３をドレインカバー５の外部から回動操作し得るようウイング形状（図３参照）を付したノブ部１５を設け、しかも、該ノブ部１５と前記ドレインカバー５の頂部との間にスプリング１６を介装している。
【００１９】
他方、ドレイン本体１の内周面には、前記ストッパバー１４を掛止してドレインカバー５のドレイン本体１からの浮き上がりを阻止し得るよう複数の掛止鍔部１７を円弧状に形成し、該各掛止鍔部１７の相互間に前記ストッパバー１４を上下方向に通過せしめ得るよう切欠部１８（図２参照）を確保してある。
【００２０】
ここで、ドレインカバー５のドレイン本体１からの浮き上がりとは、ビルの屋上等でドレインカバー５の上方で強い横風が吹いたような場合に、排水管４内の空気が霧吹きの原理で吸い出されてドレインカバー５を吹き上げる現象が起こることによる浮き上がりのことを指している。
【００２１】
また、ここに図示する例においては、ドレイン本体１の上端外周のフランジ部７が上向きに擂り鉢状を成すように形成されてフロア２上面に沿わされていると共に、このフランジ部７の上面からフロア２の上面全域に亘って防水シート１９（防水層）が敷設されており、該防水シート１９は、前記ドレイン本体１側のフランジ部７と、ドレインカバー５の下端外周に形成されたフランジ部２０との間で挟み込まれて保持されるようになっている。
【００２２】
尚、フランジ部７が擂り鉢状に形成してあるのは、雨水を良好に排水口３へ導くためであるが、フランジ部７より外側のフロア２上面にも雨水を排水口３へ導くための傾斜を付して良い。
【００２３】
而して、このように構成された縦引きドレインによれば、ドレイン本体１の上側にドレインカバー５を装着する場合に、該ドレインカバー５をドレイン本体１の上側に被せてドレイン本体１内にロッド材１３を挿入し、該ロッド材１３をノブ部１５を摘んでスプリング１６の弾撥力に抗し押し下げ、図２に二点鎖線で示す状態から実線で示す状態になるように、ロッド材１３の下端部のストッパバー１４を切欠部１８を通過させて掛止鍔部１７の下まで挿し入れてからロッド材１３を円周方向に回動し、前記切欠部１８と位相の合わない位置でノブ部１５から手を放すと、該ノブ部１５がスプリング１６の弾撥力により上方へ押し上げられて、ストッパバー１４が図１に二点鎖線で示す位置から実線で示す位置へと上昇して各掛止鍔部１７の下面に圧接状態で掛止され、ドレインカバー５がガタつきのない安定した装着状態でドレイン本体１から外れないように保持される。
【００２４】
他方、ドレイン本体１からドレインカバー５を取り外す際には、ノブ部１５を介しロッド材１３を円周方向に回動してストッパバー１４を掛止鍔部１７の切欠部１８と位置合わせすれば、ストッパバー１４と各掛止鍔部１７との掛止状態が解除されてドレインカバー５がドレイン本体１から簡単に取り外される。
【００２５】
従って、上記形態例によれば、複数本のビスを緩めたり再び締め直したりといった手間をかけずに、ノブ部１５を介しロッド材１３を回動操作するだけでドレイン本体１から簡単に着脱することができるので、ドレイン本体１の内部の清掃作業を極めて容易に行うことができ、また、作業中にビスを排水管４内へ落として紛失してしまうといった不具合も未然に回避することができ、しかも、ドレインカバー５の装着時にあっては、製作上の精度に拘わらず常にガタつきのない安定した装着状態を得ることができる上、強い横風によるドレインカバー５の浮き上がりを確実に阻止することができる。
【００２６】
また、特に本形態例においては、ドレイン本体１の上端外周とドレインカバー５の下端外周とにフランジ部７，２０を夫々形成し、両フランジ部７，２０間にフロア２上面を覆う防水シート１９を介装しているので、両フランジ部７，２０間に防水シート１９を介装するに際し、この防水シート１９の厚さＴ（図１参照）の変化をスプリング１６の弾性変形により適宜に吸収することができるので、防水シート１９の厚さＴが異なる場合でもドレインカバー５の確実な装着を図ることができる。
【００２７】
尚、本発明の縦引きドレインは、上述の形態例にのみ限定されるものではなく、ドレインカバーの形状等については図示以外の形式を採用しても良いこと、また、防水層は防水シートとする以外にＦＲＰ樹脂やアスファルトのコーティング等で施すようにしても良いこと、その他、本発明の要旨を逸脱しない範囲内において種々変更を加え得ることは勿論である。
【００２８】
【発明の効果】
上記した本発明の縦引きドレインによれば、下記の如き種々の優れた効果を奏し得る。
【００２９】
（Ｉ）本発明の請求項１に記載の発明によれば、複数本のビスを緩めたり再び締め直したりといった手間をかけずに、ノブ部を介しロッド材を回動操作するだけでドレイン本体から簡単且つ確実に着脱することができるので、ドレイン本体の内部の清掃作業を極めて容易に行うことができ、また、作業中にビスを排水管内へ落として紛失してしまうといった不具合も未然に回避することができ、しかも、ドレインカバーの装着時にあっては、製作上の精度に拘わらず常にガタつきのない安定した装着状態を得ることができる上、強い横風によるドレインカバーの浮き上がりを確実に阻止することもできる。
【００３０】
（ＩＩ）本発明の請求項２に記載の発明によれば、ドレインカバー側のフランジ部とドレイン本体側のフランジ部との間に防水シート等の防水層を介装するに際し、この防水層の厚さの変化をスプリングの弾性変形により適宜に吸収することができるので、防水層の厚さが異なる場合でもドレインカバーの確実な装着を図ることができる。
【図面の簡単な説明】
【図１】本発明を実施する形態の一例を示す断面図である。
【図２】図１のＩＩ−ＩＩ方向の矢視図である。
【図３】図１のノブ部の詳細を示す斜視図である。
【図４】従来例を示す断面図である。
【符号の説明】
１  ドレイン本体
２  フロア
３  排水口
５  ドレインカバー
７  フランジ部
１１  取水口
１３  ロッド材
１４  ストッパバー
１５  ノブ部
１６  スプリング
１７  掛止鍔部
１８  切欠部
１９  防水シート（防水層）
２０  フランジ部
【図１】
2004197510.tif 000003
【図２】
2004197510.tif 000004
【図３】
2004197510.tif 000005
【図４】
2004197510.tif 000006